(57)【特許請求の範囲】
【請求項１】
下面を解放した筐体内に略環状のフィン付熱交換器を配した天井埋設型エアーコンディショナーの筐体の下部に密着させる受皿と、
前記筐体の下端に前記受皿を密着、固定させるための据付部材と、
駆動装置によって上下動並びに垂直軸を中心に回転する前記受皿に固定した流体噴射ノズル装置を備えた天井埋設型エアーコンディショナーの熱交換器の洗浄装置であって、
前記受皿は、上部が開口した箱型に形成され、
受皿底部と、その受皿底部の中央に設けられた透孔と、その透孔の縁から上方に立ち上がる装置取付け部と、
前記受皿底部の外周から上方に立ち上がる外周壁と、
種々の大きさや形状のフィン付熱交換器の筐体の下部と当接させ、密着させるために、前記外周壁の上部から内側のみに向けて一定の幅を有する筐体当接部と、
前記受皿底部に、洗浄液の廃液を排出するための排出口を備え、
前記装置取り付け部に前記流体噴射ノズル装置が固定されるとともに、前記据付部材により、前記筐体当接部に前記筐体の下部を密着、固定されたことを特徴とする天井埋設型エアーコンディショナーの熱交換器の洗浄装置。
【請求項２】
前記筐体当接部の前記筐体の下部が密着する一定の幅を有する面に、クッション性を有する部材が設けられていることを特徴とする請求項１に記載の天井埋設型エアーコンディショナーの熱交換器の洗浄装置。
【請求項３】
前記外周壁の筐体当接部よりもさらに上方に立ち上がる立上がり部を設けるとともに、その立上がり部が可撓性を有する材料により形成されていることを特徴とする請求項１又は２に記載の天井埋設型エアーコンディショナーの熱交換器の洗浄装置。
【請求項４】
前記据付部材が、紐状体と、その紐状体の一端に設けられた、ステーボルトから吊り下げるためのフックと、紐状体の遊離端を挿通固定する締付固定具と、その締付固定具の一端に設けられた、流体噴射ノズル装置の下部に設けた被結着具と結着可能な結着具を備えていることを特徴とする請求項１から３のいずれか一項に記載の天井埋設型エアーコンディショナーの熱交換器の洗浄装置。
【請求項５】
前記フィン付熱交換器の冷媒配管の接続部が設けられた角部分に当接させる前記筐体当接部の角部の幅が、他の角部の幅よりも広く設定されていることを特徴とする請求項１から４のいずれか一項に記載の天井埋設型エアーコンディショナーの熱交換器の洗浄装置。
【発明の詳細な説明】
【技術分野】
【０００１】
本発明は、天井埋設型エアーコンディショナーの熱交換器の洗浄装置に関する。
【背景技術】
【０００２】
従来、天井埋設型エアーコンディショナーを洗浄する方法としては、図１３に示すように筐体Ｘ（空調機のケーシング）に下方から覆うホッパーＹを取付け、該ホッパーＹに設けた開閉自在な開口部Ｚから洗浄ノズルＷを挿込み、人手によって該洗浄ノズルＷを操作して筐体Ｘ内に設けたフィン付熱交換器Ｖを洗浄する方法が知られている（例えば、特許文献１を参照）。
【０００３】
しかしながら、この方法は、高い位置にあるフィン付熱交換器Ｖに対し、下方から人手によって洗浄液噴出ノズルＷを操作しながらフィン付熱交換器Ｖを洗浄するため、フィン付熱交換器Ｖ部分を目で確認しつつ洗浄することが難かしく、また、腕を伸ばした不自然な姿勢での洗浄操作を余儀なくされるため、フィン付熱交換器Ｖを均一に洗浄することが難しい。しかもこの方法は、洗浄液が飛散しないように設けたホッパーＹの開口部Ｚから洗浄ノズルＷを挿入するため、該開口部Ｚを完全に閉じることはできず、該開口部Ｚから洗浄後の廃液が洩れ出る等の問題がある。
【０００４】
そこで、先に本願出願人は、洗浄液噴出ノズルＷを自動的に動かしつつ、フィン付熱交換器に向かって洗浄液を吹付けて該熱交換器を洗浄する洗浄装置を提案した（特許文献２を参照）。この特許文献２の提案では、天井埋設型エアーコンディショナーの筐体の下部を覆う、上面が開口し、下部に排水口を有する箱状の受皿を設け、この受皿により洗浄後の廃液を受けて排出するようにしている。
【０００５】
一方、天井埋設型エアーコンディショナーは、洗浄するフィン付熱交換器の大きさや形状が製造メーカーや型式によって様々であり、これを覆う筐体の大きさや形状も同様に様々である。
【０００６】
そのため、特許文献２の洗浄装置では、洗浄する天井埋設型エアーコンディショナーのフィン付熱交換器の大きさや形状、即ち、筐体の大きさや形状に合わせて受皿を複数種類用意し保管する必要があり、費用がかさむとともに、洗浄する天井埋設型エアーコンディショナーの製造メーカーや型式を確認して、それに合った受皿を掃除現場に運搬する必要があり、その手間が煩雑である点において改良の余地があった。
【０００７】
そこで本出願人は、洗浄装置の外周部に、樹脂フィルム等から成る耐水性があり且つ可撓性を有するカバーを取付け、流体噴射ノズル装置を天井埋設型エアーコンディショナーの筐体とともに下方からカバーで覆うことにより、筐体の大きさや形状が異なる天井埋設型エアーコンディショナーに対して、外部に洗浄液が飛散することを防止した熱交換器を洗浄する洗浄装置を提案した（特許文献３を参照）。
【０００８】
この提案によれば、筐体の大きさや形状が異なる天井埋設型エアーコンディショナーに対して本流体噴射ノズル装置を取付けることができる点において優れたものである。
【先行技術文献】
【特許文献】
【０００９】
【特許文献１】特開平５−１８９７号公報
【特許文献２】特願平７−１４３７０５号公報
【特許文献３】特開平９−１１３１８５号公報
【発明の概要】
【発明が解決しようとする課題】
【００１０】
しかしながら、特許文献３の提案においては、可撓性のカバーの取付けに時間を要したり、取付けが不完全な場合には廃液が漏れ出す虞があったり、また、洗浄後のカバーのメンテナンスが煩雑である点において未だ改良の余地があった。
【００１１】
本発明は、上述の従来の状況に鑑みてなされたものであり、箱状の受皿を備えた天井埋設型エアーコンディショナーの熱交換器の洗浄装置であっても、筐体の大きさや形状が異なる天井埋設型エアーコンディショナーに対して取付けが可能な天井埋設型エアーコンディショナーの熱交換器の洗浄装置を提供することを課題としている。
【課題を解決するための手段】
【００１２】
即ち、本発明の天井埋設型エアーコンディショナーの熱交換器の洗浄装置は、以下のことを特徴としている。
【００１３】
第１に、下面を解放した筐体内に略環状のフィン付熱交換器を配した天井埋設型エアーコンディショナーの筐体の下部に密着させる受皿と、前記筐体の下端に前記受皿を密着、固定させるための据付部材と、駆動装置によって上下動並びに垂直軸を中心に回転する前記受皿に固定した流体噴射ノズル装置を備えた天井埋設型エアーコンディショナーの熱交換器の洗浄装置であって、前記受皿は、上部が開口した箱型に形成され、受皿底部と、その受皿底部の中央に設けられた透孔と、その透孔の縁から上方に立ち上がる装置取付け部と、前記受皿底部の外周から上方に立ち上がる外周壁と、種々の大きさや形状のフィン付熱交換器の筐体の下部と当接させ、密着させるために、前記外周壁の上部から内側のみに向けて一定の幅を有する筐体当接部と、前記受皿底部に、洗浄液の廃液を排出するための排出口を備え、前記装置取り付け部に前記流体噴射ノズル装置が固定されるとともに、前記据付部材により、前記筐体当接部に前記筐体の下部を密着、固定されたことを特徴とする。
【００１４】
第２に、上記第１の発明の天井埋設型エアーコンディショナーの熱交換器の洗浄装置において、前記筐体当接部の前記筐体の下部が密着する一定の幅を有する面に、クッション性を有する部材が設けられていることが好ましい。
【００１５】
第３に、上記第１又は第２の発明の天井埋設型エアーコンディショナーの熱交換器の洗浄装置において、前記外周壁の筐体当接部よりもさらに上方に立ち上がる立上がり部を設けるとともに、その立上がり部が可撓性を有する材料により形成されていることが好ましい。
【００１６】
第４に、上記第１から第３の発明の天井埋設型エアーコンディショナーの熱交換器の洗浄装置において、前記据付部材が、紐状体と、その紐状体の一端に設けられた、ステーボルトから吊り下げるためのフックと、紐状体の遊離端を挿通固定する締付固定具と、その締付固定具の一端に設けられた、流体噴射ノズル装置の下部に設けた被結着具と結着可能な結着具を備えていることが好ましい。
第５に、上記第１から第４の発明の天井埋設型エアーコンディショナーの熱交換器の洗浄装置において、前記フィン付熱交換器の冷媒配管の接続部が設けられた角部分に当接させる前記筐体当接部の角部の幅が、他の角部の幅よりも広く設定されていることが好ましい。
【発明の効果】
【００１７】
本発明の天井埋設型エアーコンディショナーの熱交換器の洗浄装置によれば、箱状の受皿を備えた天井埋設型エアーコンディショナーの熱交換器の洗浄装置であっても、筐体の大きさや形状が異なる天井埋設型エアーコンディショナーに対して取付けが可能な天井埋設型エアーコンディショナーの熱交換器の洗浄装置を提供することが可能となる。
【００１８】
また、天井埋設型エアーコンディショナーに対する洗浄装置の据え付け及び取り外しを容易にするとともに、受皿と筐体の下部との密着性を高めることにより、洗浄液の外部への飛散を防止することができる。
【図面の簡単な説明】
【００１９】
【図１】一般的なエアーコンディショナーの構造を示す斜視図である。
【図２】一般的なフィン熱交換器の斜視図である。
【図３】本発明の洗浄装置を天井埋設型エアーコンディショナーに取付けた状態を示す概略側面図である。
【図４】受皿の斜視図である。
【図５】締付固定具部の側面断面図である。
【図６】図３の実施形態の側面断面図である。
【図７】ノズル部の拡大側面図である。
【図８】図７のノズル部を反対側から見た側面図である。
【図９】ノズルの正面図である。
【図１０】モーター駆動部の回路図である。
【図１１】流体噴射ノズルの回転動作を説明する概略図である。
【図１２】ノズルの変形例を示す正面図である。
【図１３】従来例を示す説明図である。
【発明を実施するための最良の形態】
【００２０】
本発明の天井埋設型エアーコンディショナーの熱交換器の洗浄装置（以下、単に洗浄装置と略称する）の一実施形態を図を用いて詳細に説明する。図１は、一般的なエアーコンディショナーの構造を示している。天井埋設型のエアーコンディショナーＡは、下面を解放した筐体Ｂ内に環状、又は、図２に示すような略環状のフィン付熱交換器Ｃを備え、且つ、該フィン付熱交換器Ｃの中央の空間にブロワーＤを備え、筐体Ｂの下面に密着する着脱自在の蓋部材Ｆを備えている。この蓋部材Ｆには、中央に吸気口Ｇを備えるとともに、周囲の４箇所に吹出口Ｈを備えている。また、筐体Ｂは、ステーボルトＪによりスラブに吊り下げられている。
【００２１】
本実施形態の洗浄装置は、図３、図６に示すように、上記エアーコンディショナーＡの筐体Ｂの下部に、据付部材によって密着設置させる受皿５と、該受皿５に取付けられた上下動並びに回転動する流体噴射ノズル装置１を備え、該流体噴射ノズル装置１から噴出する流体をフィン付熱交換器Ｃに吹付けて、上記フィン付熱交換器Ｃを洗浄するものである。なお、その洗浄は、洗浄に先立って蓋部材ＦとブロワーＤを取外した状態で行う。そして、洗浄した後の洗浄液の廃液は、受皿５を介して外部に排出される。
【００２２】
受皿５は合成樹脂等の透明な材料により、上部が開口した箱型に形成され、図４に示すように、受皿底部５ａが四隅を欠いた略八角形に形成されており、受皿底部５ａの中央に透孔５ｂが形成されている。そして、透孔５ｂの縁から上方に立ち上がる装置取付け部５ｃが形成されている。
【００２３】
また、受皿底部５ａの外周には上方に立ち上がる外周壁５ｄを備えるとともに、該外周壁５ｄの上部内側には、内側に一定の幅を有する筐体当接部５ｅが設けられている。さらに、受皿底部５ａには、洗浄後の洗浄液の廃液を排出するための排出口５ｆが設けられている。
【００２４】
受皿５の大きさは、天井の開口に内設可能な大きさであり、一辺が８４０ｍｍ前後の大きさとなっている。
【００２５】
受皿５には、受皿底部５ａの中央に設けられた装置取付け部５ｃを介して流体噴射ノズル装置１が固定される。
【００２６】
受皿５に流体噴射ノズル装置１を固定する方法としては、受皿５を置いた状態で、上から流体噴射ノズル装置１を透孔５ｂを通して装置取付け部５ｃに載置し、流体噴射ノズル装置１の支持盤３を装置取付け部５ｃにねじ等により固定することができる。
【００２７】
そして、この状態で受皿及び流体噴射ノズル装置１が据付部材４により筐体Ｂを吊り下げるステーボルトＪから吊り下げられ、筐体Ｂの下部に受皿５が当接固定される。ここで、筐体Ｂの下部には、受皿５の外周壁５ｄの上部内側に設けられた筐体当接部５ｅの上面が当接する。
【００２８】
また、筐体当接部５ｅの上面、即ち、筐体Ｂの下部と当接する内側に一定の幅を有する部分には、クッション性を有する部材を配設するのが好ましい。このような部材としては、筐体Ｂの下部と筐体当接部５ｅが密着できるものであれば特に制限はなく、例えば、ゴムや樹脂、スポンジ等の可撓性を有する部材を用いることができる。
【００２９】
このようなクッション性を有する部材を設けることにより、筐体Ｂの下部と筐体当接部５ｅを隙間なく密着させることができ、洗浄液の外部への漏れ出しを確実に防止することができる。
【００３０】
なお、筐体当接部５ｅは、外周壁５ｄの上部内側に、一定の幅を有する形状に設けられているが、この一定の幅は、種々の大きさや形状のフィン付熱交換器Ｃ、即ち、種々の大きさや形状の筐体Ｂの下部と当接させ、密着させるために設定されるものである。
【００３１】
また、フィン付熱交換器Ｃの冷媒配管の接続部等が設けられた角部分の形状は、特にメーカーや機種によって種々の大きさや形状のものが存在する。そのため、その大きさや形状に応じて形成される筐体Ｂの下部の対応する角部の形状も種々のバリエーションのものが存在する。そのため、この角部に当接させる筐体当接部５ｅ−１の幅は他の角部よりも広めに設定するのが好ましい。
【００３２】
また、本実施形態では、受皿底部５ａの外周から上方に立ち上がる外周壁５ｄにおいて、筐体当接部５ｅよりもさらに上方に立ち上がる立上がり部５ｇを設けることにより、筐体Ｂの下部の外側面を覆うようにすることができる。また、この立上がり部５ｇを可撓性を有する材質により形成することにより、さらに筐体Ｂの下部の外側面を密着させて覆うことができるためより好ましい。
【００３３】
フィン付熱交換器Ｃを洗浄した後の洗浄液の廃液は、上記受皿５で受けとめられ、受皿底部５ａに設けられた排出口５ｆを介して、排出口５ｆに接続されたドレンホース５ｆ−１により適切に排出される。
【００３４】
本発明の洗浄装置において、上記の構成の受皿５を用いることにより、種々の大きさや形状の筐体Ｂの天井埋設型エアーコンディショナーに対しても、それぞれに対応する受皿を用意することなく１つの受皿５で対応させることが可能となる。
【００３５】
据付部材４は、受皿５及び流体噴射ノズル装置１をステーボルトＪから吊り下げて筐体Ｂの下部に固定する部材である。図５に、締付固定具部の側面断面図を示す。据付部材４は、受皿５を筐体Ｂの下部に圧接させる紐状体４ａと、該紐状体４ａの一端には、筐体Ｂを吊り下げるステーボルトＪに結着可能なフック４ｂが設けられ、紐状体４ａの遊離端には、据付部材４の長さを調整、固定するための締付固定具４ｃが設けられている。また、締付固定具４ｃの一端には、流体噴射ノズル装置１の下部に設けられた被結着具４ｉと結着可能な結着具４ｅを備えている。
【００３６】
据付部材４の紐状体４ａは、偏平で強靱な帯状体で構成され、締付固定具４ｃは、ピン４ｆと該ピン４ｆに圧接する側にばね４ｇで弾撥される締付片４ｈとを備え、該ピン４ｆと締付片４ｈとの間隔に紐状体４ａの遊離端部を挿着することで、紐状体４ａを締付固定具４ｃに固定してある。この締付固定具４ｃのピン４ｆと対向する面には、一方向（締付方向）のみに紐状体４ａの移動を許容する鋸刃を備えている。そして、該締付固定具４ｃは、ばね４ｇに抗してピン４ｆから締付片４ｈの対向面を後退させるとき紐状体４ａが自由に移動できるようになっている。
【００３７】
この据付部材４による受皿５の筐体Ｂへの据付けは、少なくとも２本以上の据付部材４のフック４ｂをそれぞれステーボルトＪに引っ掛け、結着具４ｅを被結着具４ｉに結着させ、それぞれの締付固定具４ｃに挿通した紐状体４ａの根部を引くことで、受皿５は漸次上昇し、受皿５の上面が筐体Ｂの下端部周囲に密着した状態に据付けられる。なお、締付片４ｈを解舒位置に切換えることにより密着状態を解除することができる。また、安定した据付作業を行うために、据付部材４は４本のステーボルトJに一本ずつ引っ掛け、計４本の据付部材４を用いるのが望ましい。
【００３８】
以下に、流体噴射ノズル装置１の構成及び動作について図を用いて詳細に説明する、図６は、フィン付熱交換器Ｃに向かって自動的に動きつつ流体噴射ノズル２からフィン付熱交換器Ｃに洗浄液を吹付けてフィン付熱交換器Ｃを洗浄する流体噴射ノズル装置１を示している。
【００３９】
流体噴射ノズル装置１は、支持盤３に上記流体噴射ノズル２の他に洗浄後に水切りを行う空気吹出しノズル９を備えている。流体噴射ノズル２は、図９に示す、７個の噴出口２ａを備え、各噴出口２ａから直線的に洗浄液を噴射する方式のものや、スリット状の噴出口を備えるもの、また、噴出口か洗浄液が紡錘状に広がりつつ噴出するもの等を使用することができる。なお、洗浄液をフィン付熱交換器Ｃに勢いよく吹付けて、フィン付熱交換器Ｃに付着する煙草の脂等の汚れを効率よく洗浄することを考慮した場合、直線的に洗浄液を勢いよく噴射する方式の流体噴射ノズルが望ましい。
【００４０】
流体噴射ノズル２及び空気吹出しノズル９は、支持盤３の中央に設けた開口３ｇを上下に貫通する管状の支持杆１０、１１の上端に取付けられ、該支持杆１０、１１内の管路を介して後述する洗浄液供給源及び圧力空気供給源と連通させて、流体噴射ノズル２及び空気吹出しノズル９からそれぞれ洗浄液及び圧力空気を噴出させる。なお、支持盤３の開口３ｇの上面には、開口３ｇを覆う蓋３ｊが設けられている。
【００４１】
そして、流体噴射ノズル２及び空気吹出しノズル９は、回転用駆動源１４によって、垂直軸を中心とする自動的な動きを行いつつ、昇降動用駆動源１５によって上下動及び洗浄とその後の水切りを行うようになっている。
【００４２】
具体的には、回転用駆動源１４は、図６に示すように、支持盤３の下面に間隔を置いて設けた上下一対のボールベアリング１４ａ、１４ａと、下方のボールベアリング１４ａのアウターレース１４ａ−１の下面に取付けた内歯歯車１４ｂと、下方のボールベアリング１４ａのインナーレース１４ａ−２に支持させて、上下のボールベアリング１４ａ、１４ａ間に設けたモーター１４ｃと、内歯歯車１４ｂと噛合うモーター１４ｃの回転軸上のギヤ１４ｄとで構成され、上下のアウターレース１４ａ−１は３本の連結杆１４ｅで支持盤３に連結され、また、上下のインナーレース１４ａ−２は連結杆１４ｆで互いに連結されている。なお、ボールベアリング１４ａは、水密構造のものが望ましい。
【００４３】
昇降動用駆動源１５は、支持杆１０、１１に連結したラック杆１５ａと、該ラック杆１５ａを昇降動させるモーター１５ｃとで構成され、該モーター１５ｃは、前記下方のボールベアリング１４ａのインナーレース１４ａ−２上に設けた支持部材に支持されて上下のボールベアリング１４ａ、１４ａ間に設けられている。支持杆１０、１１とラック杆１５ａとの連結は、連片１５ａ−１を介して行われる。
【００４４】
なお、流体噴射ノズル２は、図７、図８に示すように、支持杆１０の上端に設けたブラケット１６に首振自在に軸１６ａで軸支させるとともに、ブラケット１６と流体噴射ノズル２の先端側との間に介在させたコイルスプリングダンパー１７に支承させている。そして、初期状態では流体噴射ノズル２は水平状態を保ち、流体噴射ノズル２が下動したとき、流体噴射ノズル２から突出する突片１８をインナーレース１４ａ−２に設けた支持部材から突出するストッパー１９が当接して、この状態で、さらに流体噴射ノズル２が下動するとき、コイルスプリングダンパー１７によって流体噴射ノズル２が水平状態から下方に向かってスイングするようになっている。
【００４５】
また、ラック杆１５ａを覆う蛇腹２０等によって下動位置を制限させ、フィン付熱交換器Ｃの下部位置まで洗浄液を吹付け難いという不具合を解消させている。なお、支持杆１０の上端と流体噴射ノズル２とは、ゴム管等の可撓性のある管１０ａで接続させることができる。
【００４６】
本実施形態における回転用のモーター１４ｃの制御は、支持盤３の下部に設けた光センサＥＸ１を用いて行われ、昇降動用のモーター１５ｃの制御は、支持盤３の下部に設けた流体噴射ノズル２の下動位置を検出する光センサＥＸ２と、支持杆１０の上端位置に設けた防水型のリミットスイッチＬＭＳ６により行われる。以下に、これらの作動について図１０に示す回路図及び、図１１に示す流体噴射ノズルの回転動作の概略図を用いて説明する。
【００４７】
モーター１４ｃの駆動制御部２１に接続した制御用端子線２１ａに設けた運転スイッチＳＷ１６を閉じると、モーター１４ｃが駆動して流体噴射ノズル２を図１１の矢印方向に回転する。この回転により、光センサＥＸ１が内歯歯車１４ｂに設けた孔２２と対向する位置にくると、光センサＥＸ１が信号を得て交互リレー８２Ｘが作動し、駆動制御部２１に接続した制御用端子線２１ｂに設けた接点８２ｘを閉じる。
【００４８】
これにより、モーター１４ｃの回転方向が矢印方向と逆となり反転する。そして、この反転に伴って流体噴射ノズル２が一回転して再び光センサＥＸ１が孔２２と対向する位置にくると、光センサＥＸ１が信号を得て交互リレー８２Ｘを作動させ、駆動制御部２１に接続した制御用端子線２１ｂに設けた接点８２ｘを開く。これによりモーター１４ｃの回転方向が再び変わって流体噴射ノズル２を矢印方向に回転させる。
【００４９】
ＳＷ１７は、流体噴射ノズル２の回転方向を途中で変更するときに閉じる交互リレー８２Ｘに介入させた手動スイッチである。なお、駆動制御部２１に設けた速度調節部２１ｃによりモーター１４ｃの速度を調節することができる。回転動作中に流体噴射ノズル２及び空気噴出ノズル９は上下動を繰返し、流体噴射ノズル２が下動位置にきて、光センサＥＸ２がラック杆１５ａに設けた孔２３と対向すると、光センサＥＸ２が信号を得てリレー７２Ｘを励磁させる。これにより、モーター１５ｃの切換を行うリレー７２Ｘの可動接点７２ｘ１がモーター１５ｃの正転回路側に切換わるとともに、自己保持接点７２ｘ２が閉じてリレー７２Ｘを自己保持する。
【００５０】
これにより、モーター１５ｃは正転し、ラック杆１５ａを介して支持杆１０、１１が上動する。ラック杆１５ａが上端位置まで上昇して、リミットスイッチＬＭＳ６を開くと、リレー７２Ｘは消磁する。これにより接点７２ｘ１はモーター１５ｃの逆転回路側に切換わり、モーター１５ｃは逆転し、ラック杆１５ａを介して支持杆１０、１１が下動する。
【００５１】
そして、下動途中で突片１８がストッパー１９に当接すると、コイルスプリングダンパー１７によって流体噴射ノズル２側が押し下げられる。これにより、流体噴射ノズル２は水平状態から下方に向かってスイングする。そして、支持杆１０が下動位置に達すると、光センサＥＸ２がラック杆１５ａに設けた孔２３と対向し、再び光センサＥＸ２が信号を得てリレー７２Ｘが励磁する。これにより、接点７２ｘ１でモーター１５ｃの正転回路側に切換わるとともに、自己保持接点７２Ｘ２を閉じてリレー７２Ｘを自己保持し、モーター１５ｃは正転し、ラック杆１５ａを介して支持杆１０、１１が上動する。そして、この上動過程の初期に流体噴射ノズル２は下方に傾いた状態から漸次水平方向に復帰し、流体噴射ノズル２が水平方向に復帰した後はその状態を保って上動する。これを繰返しつつ、該流体噴射ノズル２が回転することで、熱交換器Ｃ全体を洗浄することができる。
【００５２】
なお、支持杆１０を洗浄液供給源に接続するためのホースの取付部及び、支持杆１１を圧力空気供給源に接続するためのホースの取付部には簡易継手具を用いることにより簡単迅速に行うことができる。
【００５３】
なお、上記実施形態では、流体噴射ノズル２並びに空気吹出しノズル９を、駆動源１４、１５によって上下動並びに垂直軸を中心に回転しつつ洗浄及び洗浄後の水切りを行わせるようにしたが、流体噴射ノズル２並びに空気吹出しノズル９を上下にスイングさせ、又は、紡錘形に広がるように流体を噴射する噴出口２ａを備える型式のものを用いたり、図１２ａ、ｂに示すように、噴出口２ａの上下に上下方向のスリット２ｂを設け、該スリット２ｂによってフィン付熱交換器Ｃのフィン丈方向に伸びる縦長に洗浄液を噴射させることができる。これにより、流体噴射ノズル２並びに空気吹出しノズル９を前述するように垂直軸を中心に自動的に回転動作させるだけで、洗浄及び洗浄後の水切りを行うようにすることもできる。
【００５４】
なお、流体噴射ノズル２への洗浄水の供給は、図３に示すように、台車Ｓに積んだ洗浄液タンクの液をポンプ等によって圧送し、空気吹出しノズル９への圧縮空気の供給は、台車Ｓに積んだコンプレッサー等によって行い、ポンプ及びコンプレッサーの制御、駆動源１４、１５等の制御は、台車Ｓに積んだ制御装置Ｔによって行うことができる。これらの構成は従来公知のものを用いることができる。
【００５５】
以上、本発明の天井埋設型エアーコンディショナーの熱交換器の洗浄装置を実施形態に基づいて説明したが、本発明の天井埋設型エアーコンディショナーの熱交換器の洗浄装置は上記の実施形態に限定されるものではなく、その要旨を逸脱しない範囲内において種々の変更が可能である。
【００５６】
例えば、上記実施形態では、被結着部を流体噴射ノズル装置１の下部に設けた結着部と結着させたが、結着部を受皿の底部又は外周壁５ｄの側面部に設けることもできる。
【００５７】
また、上記実施形態では、受皿５を透明な材質により形成させたが、強度や耐久性等を考慮して、一部又は全部を金属その他の材質により形成することもできる。
【００５８】
上記の構成を有する本発明の天井埋設型エアーコンディショナーの熱交換器の洗浄装置によれば、箱状の受皿を備えた天井埋設型エアーコンディショナーの熱交換器の洗浄装置であっても、筐体の大きさや形状が異なる天井埋設型エアーコンディショナーに対して取付けが可能な天井埋設型エアーコンディショナーの熱交換器の洗浄装置を提供することが可能となる。
【００５９】
また、天井埋設型エアーコンディショナーに対する洗浄装置の据え付け及び取り外しを容易にするとともに、受皿と筐体の下部との密着性を高めることにより、洗浄液の外部への飛散を防止することができる。
【符号の説明】
【００６０】
１  流体噴射ノズル装置
２  流体噴射ノズル
３  支持盤
４  据付部材
４ａ  紐状体
４ｂ  フック
４ｃ  締付固定具
４ｅ  結着具
５  受皿
５ａ  受皿底部
５ｂ  透孔
５ｃ  装置取付け部
５ｄ  外周壁
５ｅ  筐体当接部
５ｆ排出口
５ｇ  立上がり部
Ａ  エアーコンディショナー
Ｂ  筐体
Ｃ  フィン付熱交換器
Ｊ  ステーボルト
【図１】
0006421106.tif 000002
【図２】
0006421106.tif 000003
【図３】
0006421106.tif 000004
【図４】
0006421106.tif 000005
【図５】
0006421106.tif 000006
【図６】
0006421106.tif 000007
【図７】
0006421106.tif 000008
【図８】
0006421106.tif 000009
【図９】
0006421106.tif 000010
【図１０】
0006421106.tif 000011
【図１１】
0006421106.tif 000012
【図１２】
0006421106.tif 000013
【図１３】
0006421106.tif 000014